(57)【要約】【課題】日付表示の切り替えを行ないやすいカレンダーを提供する。【解決手段】カレンダー１は、日付が印刷表示された紙製の日付表示部材２を備える。日付表示部材２は、折り曲げられて変形可能に構成されており、折り曲げられると折曲部２Ｃが形成される。日付表示部材２は、折曲部２Ｃを境にして、日付が表示された日付領域２Ａと、何も印刷表示されていない無地領域２Ｂとを有する。カレンダー１は、折曲部２Ｃを支持する支持部４Ａを有する、平板状の支持部材４を備える。支持部材４は、支持部４Ａから突出する突出部５を有する。支持部４Ａに沿って突出部５の外縁から切れ目８が突出部５に形成されている。支持部材４には、略半円形状の受け部６が設けられる。無地領域２Ｂの折曲部２Ｃと対向する縁部から折曲部２Ｃに至るまで、突出部５が通過可能な切欠き部３が形成されている。【選択図】図１
2011016242.tif 000002
【特許請求の範囲】
【請求項１】
日付を表示すると共に折り曲げて変形可能な日付表示部材と、
該日付表示部材が折り曲げられて形成された折曲部を支持する支持部を有する支持部材とを備え、
前記日付表示部材は、前記折曲部を境にして第１の領域と第２の領域とを有し、
前記支持部材は、前記支持部から突出する突出部を有し、
前記第１の領域及び前記第２の領域のうち一方の領域の前記折曲部と対向する縁部から前記折曲部に至るまで、前記突出部が通過可能な切欠き部が形成される
カレンダー。
【請求項２】
前記支持部材は、立ち上げ可能であると共に前記日付表示部材の前記縁部を受けるよう構成された受け部を有する
請求項１に記載のカレンダー。
【請求項３】
前記支持部材は、折り曲げ可能に連結する蓋部材を有し、
該蓋部材は、折り曲げられた場合に前記突出部と重なる突出片を有する
請求項１または請求項２に記載のカレンダー。
【請求項４】
前記突出部の前記支持部に沿った長さは、前記切欠き部の前記折曲部に沿った長さよりも長く、
前記支持部に沿って前記突出部の外縁から切れ目が前記突出部に形成される
請求項１〜３のいずれか１つに記載のカレンダー。
【発明の詳細な説明】
【技術分野】
【０００１】
本発明はカレンダーに関する。詳しくは、壁に掛ける紙製のカレンダーに係るものである。
【背景技術】
【０００２】
従来、壁に掛けるカレンダーとしては、例えば図７に示されるような壁掛けカレンダーが特許文献１に記載されている。即ち、特許文献１には、カレンダー基板１１０と、複数のカレンダーページ１１２と、メモ書き込み基板１１４と、壁の鋲などにカレンダーを掛けるための取付け部１５０と、留め金１４０とを備える壁掛けカレンダーが記載されている。
また、カレンダーページ１１２は金属製の螺旋形結束具１２８で取付けられている。また、カレンダー基板１１０には、金属製の螺旋結束具１３２によってメモ書き込み基板１１４が取付けられている。また、金属製の螺旋結束具１３２によって、メモ書き込み基板１１４の前面である乾燥消去面１３０は、カレンダーページ側位置（上側位置）へ移動でき、上側位置にあるとき、留め金１４０が乾燥消去面１３０に係合して乾燥消去面１３０を上側位置に固定する。
【先行技術文献】
【特許文献】
【０００３】
【特許文献１】特開２０００−１０８５４８号公報
【発明の概要】
【発明が解決しようとする課題】
【０００４】
しかしながら、特許文献１に記載された壁掛けカレンダーは、カレンダーページが金属製の螺旋形結束具で綴じられた状態で取付けられているので、月が変わって別のカレンダーページへ変えるときに、カレンダーページを取外し難かった。
【０００５】
本発明は、以上の点に鑑みて創案されたものであり、日付表示の切り替えを行ないやすいカレンダーを提供することを目的とする。
【課題を解決するための手段】
【０００６】
上記の目的を達成するために、本発明のカレンダーは、日付を表示すると共に折り曲げて変形可能な日付表示部材と、該日付表示部材が折り曲げられて形成された折曲部を支持する支持部を有する支持部材とを備え、前記日付表示部材は、前記折曲部を境にして第１の領域と第２の領域とを有し、前記支持部材は、前記支持部から突出する突出部を有し、前記第１の領域及び前記第２の領域のうち一方の領域の前記折曲部と対向する縁部から前記折曲部に至るまで、前記突出部が通過可能な切欠き部が形成される。
【０００７】
ここで、第１の領域及び第２の領域のうち一方の領域の折曲部と対向する縁部から折曲部に至るまで、突出部が通過可能な切欠き部が形成されることによって、日付表示部材を簡単に支持部材から取外すことができる。
なお、ここでいう「変形」とは、変形した状態を保つ変形を意味する。
【０００８】
また、本発明のカレンダーにおいて、支持部材は、立ち上げ可能であると共に日付表示部材の縁部を受けるよう構成された受け部を有する場合、受け部が日付表示部材の縁部を抑えて、日付表示部材の縁部の浮き上がりを抑制できる。
【０００９】
さらに、本発明のカレンダーにおいて、支持部材は、折り曲げ可能に連結する蓋部材を有し、蓋部材は、折り曲げられた場合に突出部と重なる突出片を有する場合、蓋部材が折り曲げられて、突出部と突出片を重ねた状態で壁にカレンダーを掛けることができるので、蓋部材が第１の領域及び第２の領域のうち一方の領域の浮き上がりを抑制できる。
【００１０】
また、本発明のカレンダーにおいて、突出部の支持部に沿った長さは、切欠き部の折曲部に沿った長さよりも長く、支持部に沿って突出部の外縁から切れ目が突出部に形成される場合、日付表示部材の切欠き部に通された突出部の切れ目に、切欠き部が形成された領域の一部が入って日付表示部材がズレ難くなり、支持部材からの意図しない日付表示部材のズレ落ちを抑制できる。
【発明の効果】
【００１１】
本発明に係るカレンダーは、日付表示の切り替えを行ないやすい。
【図面の簡単な説明】
【００１２】
【図１】本発明のカレンダーの第１の実施態様を示す概略図である。
【図２】壁に掛ける状態である本発明のカレンダーの第１の実施態様を示す概略正面図（ａ）と概略背面図（ｂ）である。
【図３】本発明のカレンダーの使用例を示す概略図である。
【図４】本発明のカレンダーの第２の実施態様を示す概略背面図である。
【図５】本発明のカレンダーの第３の実施態様を示す概略図である。
【図６】本発明のカレンダーの第４の実施態様における支持部材を示す概略図である。
【図７】従来の壁掛けカレンダーを示す概略図である。
【発明を実施するための形態】
【００１３】
以下、本発明の実施の形態について図面を参照しながら説明し、本発明の理解に供する。
図１は、本発明のカレンダーの第１の実施態様を示す概略図である。
本発明のカレンダー１は、日付が印刷表示された紙製の日付表示部材２を備える。
また、日付表示部材２は、折り曲げられて変形可能に構成されており、折り曲げられると折曲部２Ｃが形成されて、図１に示されるように日付表示部材２は断面山形の形状を有する。
さらに、日付表示部材２は、折曲部２Ｃを境にして、日付が表示された日付領域（第１の領域）２Ａと、何も印刷表示されていない無地領域（第２の領域）２Ｂとを有する。
また、日付領域２Ａの長さよりも無地領域２Ｂの長さの方が短い。
【００１４】
また、カレンダー１は、日付表示部材２が折り曲げられて形成された折曲部２Ｃを支持する支持部４Ａを有する、平板状の支持部材４を備える。また、支持部材４は紙製である。
また、支持部材４は、支持部４Ａから突出する突出部５を有する。
また、突出部５の支持部４Ａに沿った長さは、切欠き部３の折曲部２Ｃに沿った長さよりも長く、支持部４Ａに沿って突出部５の外縁から切れ目８が突出部５に形成されている。
また、突出部５には、カレンダー１を壁に掛けるための留めピンを通すためのピン穴９が形成されている。
また、支持部材４には、スリット７が略半円状に形成され、これによって略半円形状の受け部６が設けられる。また、受け部６は、スリット７によって設けられているので、支持部材４と一体となっている箇所を軸にして動く（立ち上がる）ことが可能である。
【００１５】
また、無地領域２Ｂの折曲部２Ｃと対向する縁部から折曲部２Ｃに至るまで、突出部５が通過可能な切欠き部３が形成されている。
なお、図１には、日付表示部材２が１枚しか示されていないが、日付表示部材２を複数枚重ねて支持部材４の支持部４Ａに載せてもよいことは勿論である。
【００１６】
図２は、壁に掛ける状態である本発明のカレンダーの第１の実施態様を示す概略正面図（ａ）と概略背面図（ｂ）である。
図２（ｂ）に示されるように、支持部材４の突出部５は、無地領域２Ｂに形成された切欠き部３に通され、さらに突出部５の切れ目８に無地領域２Ｂの一部が入り込んでいる。
また、立ち上げられた受け部６は、無地領域２Ｂの折曲部２Ｃと対向する縁部を受ける。
【００１７】
図３は、本発明のカレンダーの使用例を示す概略図である。
図３（ａ）に示すように、２つの支持部材４を用意し、複数の日付表示部材２を支持する一方の支持部材４から、例えば７月の日付を表示する日付表示部材２を取外して８月の日付を表示する日付表示部材２を露出させる。そして、図３（ｂ）に示すように、取外された７月の日付を表示する日付表示部材２を他方の支持部材４に掛けて、２ヶ月分のカレンダーを並べて壁に掛ける。
【００１８】
図４は、本発明のカレンダーの第２の実施態様を示す概略背面図である。図４に示すように、第２の実施態様のカレンダー１は、突出部５に切れ目が形成されていない点や、受け部が設けられていない点や、突出部５が支持部材４の一部を立ち上げて形成されている点において、第１の実施態様のカレンダーと異なる。
【００１９】
図５は、本発明のカレンダーの第３の実施態様を示す概略図である。
第３の実施態様のカレンダー１において、支持部材４は、折り曲げ可能に連結する蓋部材１０を有し、また、蓋部材１０は、蓋部材１０の一部を立ち上げて形成された突出片１１を有する。また、支持部材４の一部を立ち上げて形成された突出部５と突出片１１には、留めピンを通すためのピン穴９が形成されている。
また、図５（ｂ）に示すように、突出片１１は、蓋部材１０を折り曲げた場合に突出部５と重なる。また、図５（ｂ）に示すように、突出部５と突出片１１それぞれに形成されたピン穴９も重なる。よって、支持部材４で折曲部２Ｃを支持し、支持部材４と蓋部材１０とで無地領域２Ｂを挟んだ状態で、突出部５のピン穴９及び突出片１１のピン穴９に留めピン１２が通されて、カレンダー１が壁に掛けられる。
【００２０】
図６は、本発明のカレンダーの第４の実施態様における支持部材を示す概略図である。
図６（ａ）に示すように、本発明のカレンダーに使用される支持部材４は、折り曲げられて変形可能に構成されている。また、折り曲げられた箇所が支持部４Ａとなる。また、折り曲げられて形成された支持部４Ａを境にして、支持部材４は、一部を立ち上げて突出部５を形成する第１の支持部材領域４Ｂと、スリット７が略半円状に形成されて略半円形状の受け部６が設けられた第２の支持部材領域４Ｃとを有する。
また、図６（ｂ）に示すように、立ち上げられた受け部６は、第１の支持部材領域４Ｂの支持部４Ａと対向する縁部を受け、この状態で日付表示部材が支持部材４に取付けられる。
このような構成により、立ち上げられた受け部６と、折り曲げられて受け部６に一部が入れられた第１の支持部材領域４Ｂとが、互いに戻ろうとすることでお互いを押し合い、日付表示部材の無地領域を、この押し合う力によって挟み込み、安定して日付表示部材を支持することができる。
【００２１】
以上のように、本発明のカレンダーは、日付表示部材の無地領域の折曲部と対向する縁部から折曲部に至るまで、支持部材の突出部が通過可能な切欠き部が形成されているので、壁にカレンダーを掛けたまま、日付表示部材を簡単に支持部材から取外すことができる。よって、日付表示の切り替えを行ないやすい。
また、特に、日付領域の長さよりも無地領域の長さの方が短いので、日付領域を引っ張って取外しやすい。
【００２２】
また、受け部や蓋部材によって、無地領域の浮き上がりを抑制でき、浮き上がりによって日付表示部材が外れやすくなるという状態を低減できる。
【００２３】
また、日付表示部材を簡単に支持部材から取外すことができるということは、日付表示部材を支持部材に取付けることも簡単である。よって、例えば２つの支持部材を用意して、一方の支持部材からある月の日付表示部材を取外して他方の支持部材に取付け、２ヶ月分のカレンダーを並べて壁に掛けることができる。
【００２４】
また、日付表示部材は、折曲部を境にして、日付が印刷表示された日付領域と、何も印刷表示されていない無地領域とを有するというように片面だけの印刷であり、印刷面が両面印刷に比べて小さいのでオンデマンドに対応できる。
また、日付表示部材も支持部材も紙製なので、金属製の螺旋形結束具を用いるカレンダーに比べて、廃棄するときに分別しやすい。
【符号の説明】
【００２５】
１    カレンダー
２    日付表示部材
２Ａ  日付領域
２Ｂ  無地領域
２Ｃ  折曲部
３    切欠き部
４    支持部材
４Ａ  支持部
４Ｂ  第１の支持部材領域
４Ｃ  第２の支持部材領域
５    突出部
６    受け部
７    スリット
８    切れ目
９    ピン穴
１０    蓋部材
１１    突出片
１２    留めピン
【図１】
2011016242.tif 000003
【図２】
2011016242.tif 000004
【図３】
2011016242.tif 000005
【図４】
2011016242.tif 000006
【図５】
2011016242.tif 000007
【図６】
2011016242.tif 000008
【図７】
2011016242.tif 000009